(57)【要約】【課題】マーキング対象として設定されている郵便物が不良品と判定された場合であっても、不良品と判定された郵便物にマーキングする予定であったマークを、次に良品と判定された区分番号が同一の郵便物にマーキングするマーキング装置を提供する。【解決手段】マーキング装置１の制御部１０は、リーダ部１１が読み取った通数連番を用いて郵便物２の良品判定を行い、通数連番を読み取った郵便物２を不良品と判定すると、区分けファイルを参照し、リーダ部１１が読み取った通数連番に第１のマークと第２のマークのマーキングフラグが設定されている場合、通数連番を読み取った郵便物と同じ区分番号で、次に搬送される郵便物の通数連番に第１のマークと第２のマークのマーキングフラグが移動するように区分けファイルを変更する。【選択図】図５
2014097462.tif 000002
【特許請求の範囲】
【請求項１】
封入封緘された郵便物に印刷された通数連番を読み取るリーダ部と、
消色系の着色インキを噴射して、第１のマークを郵便物にマーキングする第１のマーカ部と、
郵便物に印刷された通数連番と郵便物の区分番号が対応付けられ、かつ、同一の区分番号で最初に搬送される郵便物の通数連番と、郵便物の数量が結束単位を超えた区分番号については、結束単位で最初に搬送される郵便物の通数連番に前記第１のマークのマーキングフラグが設定されている区分けファイルを有する制御部を備え、
前記制御部は、前記リーダ部が通数連番を郵便物から読み取ると、前記リーダ部が読み取った通数連番を用いて郵便物の良品判定を行った後、前記区分けファイルを参照し、前記リーダ部が読み取った通数連番に前記第１のマークのマーキングフラグのみが設定されている場合、良品判定において良品と判定したときは、前記第１のマーカ部にマーキングを指示し、良品判定において不良品と判定したときは、通数連番を読み取った郵便物と同じ区分番号で、次に搬送される郵便物の通数連番にこの前記第１のマークのマーキングフラグが移動するように前記区分けファイルを変更することを特徴とするマーキング装置。
【請求項２】
前記第１のマーカ部とは異なる色の消色系の着色インキを噴射して、第２のマークを郵便物にマーキングする第２のマーカ部と、
前記区分けファイルには、同一の区分番号で最初に搬送される郵便物の通数連番に、前記第１のマークのマーキングフラグに加え、前記第２のマークのマーキングフラグが設定され、
前記制御部は、前記リーダ部が読み取った通数連番が前記第１のマークと前記第２のマークのマーキングフラグが設定されている場合、良品判定において良品と判定したときは、前記第１のマーカ部と前記第２のマーカ部にマーキングを指示し、良品判定において不良品と判定したときは、通数連番を読み取った郵便物と同一の区分番号で、次に搬送される郵便物の通数連番にこの前記第１のマークと前記第２のマークのマーキングフラグが移動するように前記区分けファイルを変更する、
ことを特徴とする、請求項１に記載したマーキング装置。
【請求項３】
前記制御部は、前記リーダ部が読み取った通数連番に前記第１のマークのマーキングフラグのみが設定されている場合、良品判定において不良品と判定すると、この郵便物が区分番号で最後に搬送される郵便物であるか確認し、最後に搬送される郵便物の場合、前記リーダ部が読み取った通数連番に設定されている前記第１のマークのマーキングフラグを解除するように前記区分けファイルを変更することを特徴とする、請求項１または請求項２に記載したマーキング装置。
【請求項４】
前記制御部は、前記リーダ部が読み取った通数連番が前記第１のマークと前記第２のマークのマーキングフラグが設定され、かつ、区分番号で最後に搬送される郵便物の場合、前記リーダ部が読み取った通数連番に設定されている前記第１のマークと前記第２のマークのマーキングフラグを解除した後、次の区分番号で最初に搬送される郵便物の通数番号に設定されている前記第１のマークのマーキングフラグを解除することを特徴とする、請求項３に記載したマーキング装置。
【発明の詳細な説明】
【技術分野】
【０００１】
本発明は、封入封緘された郵便物に区分け用のマークをマーキングする技術に関する。
【背景技術】
【０００２】
２，０００通以上の郵便物を差し出す場合、７桁の郵便番号中の配達エリアを示す部分である郵便区番号を区分番号として郵便物を区分し、区分番号を記した割符を付して郵便物を発送することで、郵便事業者が定めた料金割引を受けることができるため、郵便物の製造を大量に請け負う印刷会社では、製造した郵便物を郵便区番号別に区分けする作業が行われる。
【０００３】
郵便物の区分け作業は、特許文献１で開示されている発明のようなシステムを用いて自動化で行えるが、このようなシステムを利用して区分けを行う場合であっても、郵便物の数量の多い区分番号では結束単位で結束しなければならず、同一の区分番号で結束単位の最初になる郵便物に着色インキでマーキングすることが必要とされる。
【０００４】
従来のマーキング装置は、連続帳票を供給する連続帳票供給部、連続帳票を折る第１の折り部、単票を供給する単票供給部、単票を折る第２の折り部、折り機を有する第１の同封物供給部、冊子体などを供給する第２の同封物供給部、封筒を供給する封筒供給部、封入封緘を行う封入封緘部などから構成される本体の排出側に設置され、マーキング装置は、マーキングを制御する制御部、搬送機構から搬送された郵便物に印字されている通数連番を読み取るリーダ部、および、消色系の着色インキを噴射して郵便物に所定のマークをマーキングする１つのマーカ部とから少なくとも構成される。
【０００５】
マーキング装置には、マーキング対象となる郵便物、すなわち、同一の区分番号で結束単位の最初になる郵便物の通数連番が登録され、マーキング装置の制御部は、通数連番を読み取った郵便物がマーキング対象になっている場合、該郵便物がマーカ部の設置場所を通過するタイミングで、マーカ部を作動させて郵便物にマーキングを行う。
【０００６】
しかし、マーキング装置のリーダ部とマーカ部の間には、通数連番が読み取りエラーとなった郵便物や抜き取り指示されている郵便物をセキュリティボックスに排出するリジェクト機構が設けられ、制御部は、郵便物から読み取った通数連番によって不良品が示される場合、郵便物がマーキング対象であるか否かにかかわらず、通数連番を読み取った郵便物をセキュリティボックスに排出するため、マーキング対象になっている郵便物がセキュリティボックスに排出されてしまった場合、２つの区分以上の郵便物が結束されてしまうなどの問題があった。
【先行技術文献】
【特許文献】
【０００７】
【特許文献１】特許第３７８９５７０号公報
【発明の概要】
【発明が解決しようとする課題】
【０００８】
そこで、本発明は、マーキング対象になっている郵便物が不良品と判定され、セキュリティボックスに排出されてしまった場合であっても、不良品と判定された郵便物にマーキングする予定であったマークを、次に良品と判定された区分番号が同一の郵便物にマーキングできるマーキング装置を提供することを目的とする。
【課題を解決するための手段】
【０００９】
第１の発明にかかるマーキング装置は、封入封緘された郵便物に印刷された通数連番を読み取るリーダ部と、消色系の着色インキを噴射して、第１のマークを郵便物にマーキングする第１のマーカ部と、郵便物に印刷された通数連番と郵便物の区分番号が対応付けられ、かつ、同一の区分番号で最初に搬送される郵便物の通数連番と、郵便物の数量が結束単位を超えた区分番号については、結束単位で最初に搬送される郵便物の通数連番に前記第１のマークのマーキングフラグが設定されている区分けファイルを有する制御部を備える。
【００１０】
第１の発明にかかるマーキング装置の前記制御部は、マーキング対象になっている郵便物が良品の場合、良品と判定した郵便物に前記第１のマークをマーキングするために、前記リーダ部が通数連番を郵便物から読み取ると、前記リーダ部が読み取った通数連番を用いて郵便物の良品判定を行い、通数連番を読み取った郵便物を良品と判定すると、前記区分けファイルを参照し、前記リーダ部が読み取った通数連番に前記第１のマークのマーキングフラグのみが設定されている場合、前記第１のマーカ部にマーキングを指示する動作を行う。
【００１１】
また、第１の発明にかかるマーキング装置の前記制御部は、マーキング対象になっている郵便物が不良品と判定され、セキュリティボックスに排出されてしまった場合であっても、不良品と判定された郵便物にマーキングする予定であった前記第１のマークが、次に良品と判定された区分番号が同一の郵便物にマーキングされるように、前記リーダ部が読み取った通数連番を用いて郵便物の良品判定を行い、通数連番を読み取った郵便物を不良品と判定すると、前記区分けファイルを参照し、前記リーダ部が読み取った通数連番に前記第１のマークのマーキングフラグのみが設定されている場合、通数連番を読み取った郵便物と同じ区分番号で、次に搬送される郵便物の通数連番にこの前記第１のマークのマーキングフラグが移動するように前記区分けファイルを変更する。
【００１２】
更に、第２の発明は、第１の発明に記載したマーキング装置であって、区分番号が切り替わったことを作業者が認識できるように、前記第１のマーカ部とは異なる色の消色系の着色インキを噴射して、第２のマークを郵便物にマーキングする第２のマーカ部を備え、前記区分けファイルには、同一の区分番号で最初に搬送される郵便物の通数連番に、前記第１のマークのマーキングフラグに加え、前記第２のマークのマーキングフラグが設定される。
【００１３】
第２の発明にかかる前記制御部は、第１の発明と同様な理由で、前記リーダ部が読み取った通数連番に前記第１のマークと前記第２のマークのマーキングフラグが設定されている場合、良品判定において良品と判定したときは、前記第１のマーカ部と前記第２のマーカ部にマーキングを指示し、良品判定において不良品と判定したときは、通数連番を読み取った郵便物と同一の区分番号で、次に搬送される郵便物の通数連番にこの前記第１のマークと前記第２のマークのマーキングフラグが移動するように前記区分けファイルを変更する。
【００１４】
更に、第３の発明は、第１の発明または第２の発明に記載したマーキング装置であって、不良品と判定した郵便物にマーキングすべきであった前記第１のマークが区分番号の異なる郵便物にマーキングされることを防止するため、前記制御部は、前記リーダ部が読み取った通数連番に前記第１のマークのマーキングフラグのみが設定されている場合、良品判定において不良品と判定すると、この郵便物が区分番号で最後に搬送される郵便物であるか確認し、最後に搬送される郵便物の場合、前記リーダ部が読み取った通数連番に設定されている前記第１のマークのマーキングフラグを解除するように前記区分けファイルを変更する。
【００１５】
更に、第４の発明は、第３の発明に記載したマーキング装置であって、不良品と判定した郵便物にマーキングすべきであった前記第１のマークと前記第２のマークが区分番号の異なる郵便物にマーキングされることを防止し、かつ、前の区分番号にかかる郵便物が全て不良品として判定され、前の区分番号にかかる郵便物が排出されなかったことを作業者に提示できるように、前記制御部は、前記リーダ部が読み取った通数連番に前記第１のマークと前記第２のマークのマーキングフラグが設定され、かつ、区分番号で最後に搬送される郵便物の場合、前記リーダ部が読み取った通数連番に設定されている前記第１のマークと前記第２のマークのマーキングフラグを解除した後、次の区分番号で最初に搬送される郵便物の通数番号に設定されている前記第１のマークのマーキングフラグを解除する。
【発明の効果】
【００１６】
このように、本発明によれば、マーキング対象になっている郵便物が不良品と判定され、セキュリティボックスに排出されてしまった場合であっても、不良品と判定された郵便物にマーキングする予定であったマークを、次に良品と判定された区分番号が同一の郵便物にマーキングするマーキング装置を提供できる。
【図面の簡単な説明】
【００１７】
【図１】本実施形態にかかるマーキング装置を説明する図。
【図２】区分けファイルを説明する図。
【図３】マーキング装置の制御部の動作を説明する図。
【図４】マーキング処理を説明する図。
【図５】マーキング対象変更処理を説明する図。
【図６】マーキング処理の具体例を説明する図。
【図７】マーキング対象変更処理の具体例を説明する第１図。
【図８】マーキング対象変更処理の具体例を説明する第２図。
【発明を実施するための形態】
【００１８】
以下、本発明の好適な実施形態を記載する。なお、以下記載は本発明の範囲を束縛するものでなく、理解を助けるために記述するものである。
【００１９】
図１は、本実施形態にかかるマーキング装置１を説明する図である。本実施形態にかかるマーキング装置１は、封入封緘機の搬送機構３ａにより搬送される郵便物２へのマーキングを制御する制御部１０と、郵便物２に印字されている通数連番を読み取るリーダ部１１と、消色系の着色インキを噴射して郵便物２に第１のマークをマーキングする第１のマーカ部１２を備え、更に、本実施形態では、第１のマーカ部１２とは色が異なる着色インキを噴射して郵便物２に第２のマークをマーキングする第２のマーカ部１３を備えている。
【００２０】
本実施形態にかかるマーキング装置１は、封入封緘機の排出側に設けられる装置で、マーキング装置１のリーダ部１１と各マーカの間には、マーキング装置１が不良品として判定した郵便物２を未開封のままセキュリティボックス３ｃに排出するためのリジェクト機構３ｂが設けられる。
【００２１】
リーダ部１１は、郵便物２に印字されている通数連番を読み取るためにマーキング装置１に備えられる。リーダ部１１の具体的な形態は、通数連番の印字形態に依存する。例えば、通数連番をバーコードの形態で郵便物２に印刷する場合、リーダ部１１はバーコードリーダで実現される。また、通数連番をＯＣＲ文字で郵便物２に印刷する場合、リーダ部１１はカメラで実現される。
【００２２】
郵便物２に第１のマークをマーキングする第１のマーカ部１２と、郵便物２に第２のマークをマーキングする第２のマーカ部１３はインクジェットプリンタで実現されるが、第１のマーカ部１２と第２のマーカ部１３に装着されている消色系の着色インキの色は異なる。
【００２３】
マーキング装置１の制御部１０について説明する。マーキング装置１の制御部１０は、パーソナルコンピュータやＰＬＣ(Programmable Logic Controller)などの制御機器を利用して実現される装置で、マーキング装置１の制御部１０には、リーダ部１１、第１のマーカ部１２および第２のマーカ部１３が接続される。
【００２４】
本実施形態では、郵便物２の封入封緘が開始される前に、マーキング装置１の制御部１０には、郵便物２に印刷された通数連番と郵便物２の区分番号が対応付けられ、かつ、同一の区分番号で最初に搬送される郵便物２の通数連番に第１のマークおよび第２のマークのマーキングフラグが設定され、更に、郵便物２の数量が結束単位を超えた区分番号については、結束単位で最初に搬送される郵便物２の通数連番に第１のマークのマーキングフラグが設定されている区分けファイルが登録される。
【００２５】
区分けファイルそのものをマーキング装置１に登録してもよいが、例えば、区分番号毎に郵便物２の数量を記したファイルなど、区分けファイルの基になるファイルをマーキング装置１に登録し、マーキング装置１側で区分けファイルを生成するようにしてもよい。
【００２６】
図２は、区分けファイルを説明する図である。図２に図示した区分けファイルには、区分け対象となる郵便物２（ここでは、２０通）毎にレコードが設けられ、このレコードには、郵便物２の通数連番を記憶するカラム、７桁の郵便番号を記憶するカラム、第１のマークのマーキング対象であることを示す第１のマークのマーキングフラグを記憶するカラム、第２のマークのマーキング対象であることを示す第２のマークのマーキングフラグを記憶するカラム、そして、郵便物２の良品判定の結果を記憶するためのカラムが設けられている。
【００２７】
区分けファイルに記述される通数連番は、郵便物２を製造する際に郵便物２に印刷され、郵便物２は、区分けファイルに記述される通数連番順にフィードされるように封入封緘機にセットされる。
【００２８】
区分けファイルに記述される７桁の郵便番号は、通数連番に対応する郵便物２の送付先の郵便番号である。一般的に、郵便番号中の配達エリアを表す部分である郵便区番号（郵便番号の上３桁又は上５桁）が区分番号に用いられるため、図２においては、区分番号を便宜的に郵便番号の上５桁としている。図２によれば、通数連番が「１」から「７」までの郵便物２は区分番号１に、通数連番が「８」から「１３」までの郵便物２は区分番号２に、通数連番が「１４」から「１８」までの郵便物２は区分番号３に、通数連番が「１９」から「２０」までの郵便物２は区分番号４にそれぞれ属している。
【００２９】
区分けファイルの第１のマークのマーキングフラグは、第１のマークのマーキング対象となる郵便物２を示すフラグである。区分け作業のオペレータは、区分番号毎に郵便物２を区分けし、同一の区分番号の郵便物２の数量が結束単位を超えている場合、同一の区分番号の郵便物２を結束単位でまとめる作業を行うため、第１のマークのマーキングフラグは、同一の区分番号で最初に搬送される郵便物２のレコードと、郵便物２の数量が結束単位（ここでは、５通）を超える区分番号に関しては、結束単位で最初に搬送される郵便物２のレコードに付加される。
【００３０】
図２において、同一の区分番号で最初に搬送される郵便物２は、通数番号が「１」、「８」、「１４」および「１９」の郵便物２になるため、該郵便物２のレコードに第１のマークのマーキングフラグが付加されている。また、郵便物２の数量が結束単位を超える区分番号は区分番号１、２で、区分番号１に関しては、結束単位で最初に搬送される郵便物２となる通数連番が「６」の郵便物２に対応するレコードに第１のマークのマーキングフラグが付加されている。また、区分番号２に関しては、結束単位で最初に搬送される郵便物２となる通数連番が「１３」の郵便物２に対応するレコードに第１のマークのマーキングフラグが付加されている。
【００３１】
なお、同一の区分番号内の郵便物２の数量は結束単位の整数倍になるとは限らず、結束単位に満たない数量の郵便物２は半端分として処理される。例えば、区分番号１において、郵便物２の数量は７通であるため、前半の５通が結束単位として処理され、後半の２通が半端分として処理される。図２では、半端分を後半に設定しているが、半端分を前半に設定することもできる。
【００３２】
区分けファイルの第２のマークのマーキングフラグは、第２のマークのマーキング対象となる郵便物２を示すフラグである。上述したように、同一の区分番号で最初に搬送される郵便物２に第２のマークをマーキングするため、第２のマークのマーキングフラグは、同一の区分番号の中で最初に搬送される郵便物２のレコードに付加されている。図２では、同一の区分番号で最初に搬送される郵便物２は、通数番号が「１」、「８」、「１４」および「１９」の郵便物２になるため、該郵便物２に対応するレコードそれぞれに第２のマークのマーキングフラグが付加されている。
【００３３】
マーキング装置１の制御部１０は、封入封緘機にて封入封緘が実行開始されると、上述した区分けファイルを参照して、封入封緘された郵便物２に対するマーキングを制御する。
【００３４】
図３は、マーキング装置１の制御部１０の動作を説明する図である。図３で図示した手順は、マーキング装置１の制御部１０が、マーキング装置１のリーダ部１１の読み取り範囲に郵便物２が搬送されるタイミングで繰り返し実行する手順で、マーキング装置１の制御部１０が図３の手順を実行する毎に、図３の手順を実行する際に参照する区分けファイルのレコード（以下、対象レコード）はレコード順に切り替わる。すなわち、マーキング装置１のリーダ部１１の読み取り範囲に郵便物２が搬送される最初のタイミングで対象レコードとなるレコードは区分けファイルの最初のレコードで、次のタイミングで対象レコードとなるレコードは２番目に記述されているレコードになる。
【００３５】
マーキング装置１の制御部１０は、リーダ部１１の読み取り範囲に郵便物２が搬送されるタイミングでリーダ部１１を作動させて、リーダ部１１の読み取り範囲に搬送された郵便物２の通数連番をリーダ部１１に読み取らせる（Ｓ１）。
【００３６】
リーダ部１１が郵便物２から読み取った通数連番はマーキング装置１の制御部１０に送信され、マーキング装置１の制御部１０は、リーダ部１１から送信された通数連番に基づいて、通数連番を読み取った郵便物２の良品判定を行う（Ｓ２）。
【００３７】
この良品判定の内容は様々考えられるが、本実施形態において、マーキング装置１の制御部１０は、リーダ部１１から通数連番の読み取りエラーが送信された場合、または、リーダ部１１から送信された通数連番が予め抜き取り指示された通数連番の場合、通数連番を読み取った郵便物２を不良品と判定し、それ以外の場合は良品と判定する。
【００３８】
マーキング装置１の制御部１０は、通数連番を読み取った郵便物２を良品と判定すると、郵便物２に対するマーキングを制御するマーキング処理（Ｓ１０）を実行し、この手順を終了する。また、マーキング装置１の制御部１０は、通数連番を読み取った郵便物２を不良品と判定すると、不良品と判定した郵便物２のリジェクトをリジェクト機構３ｂに指示した後（Ｓ３）、マーキング対象となる郵便物２を変更するマーキング対象変更処理（Ｓ２０）を実行し、この手順を終了する。
【００３９】
まず、マーキング装置１の制御部１０が実行するマーキング処理（Ｓ１０）について説明する。図４は、マーキング処理（Ｓ１０）を説明する図である。
【００４０】
マーキング装置１の制御部１０は、通数連番を読み取った郵便物２を良品と判定すると、まず、対象レコードの判定結果に良品を示す良品フラグを書き込む（Ｓ１１）。
【００４１】
次に、マーキング装置１の制御部１０は、対象レコードに第１のマークのマーキングフラグが付加されているか確認し（Ｓ１２）、第１のマークのマーキングフラグが付加されていれば、第１のマーカ部１２にマーキングの指示を出し（Ｓ１３）、第１のマーカ部１２は、リーダ部１１が通数連番を読み取った郵便物２が第１のマーカ部１２のマーキング位置に搬送されるタイミングで消色系の着色インキを噴射して、第１のマークを郵便物２にマーキングする。
【００４２】
次に、マーキング装置１の制御部１０は、対象レコードに第２のマークのマーキングフラグが付加されているか確認し（Ｓ１４）、第２のマークのマーキングフラグが付加されていれば、第２のマーカ部１３にマーキングの指示を出し（Ｓ１５）、第２のマーカ部１３は、リーダ部１１が通数連番を読み取った郵便物２が第２のマーカ部１３のマーキング位置に搬送されるタイミングで、第１のマーカ部１２とは色の異なる消色系の着色インキを噴射して、第２のマークを郵便物２にマーキングして、この手順を終了する。
【００４３】
図６は、マーキング処理の具体例を説明する図である。図６は、図２の区分けファイルに基づくもので、図６では、郵便物２を長方形で図示し、該長方形の中に記載されている数字は、郵便物２の通数連番である。また、図６において、黒矢印は第１のマークを示し、白矢印は第２のマークを示している。
【００４４】
図２の区分けファイルに基づけば、第１のマークのマーキングフラグおよび第２のマークのマーキングフラグが付加されたレコードは通数番号が「１」、「８」、「１４」および「１９」のレコードになるため、「１」、「８」、「１４」および「１９」の通数番号が印字された郵便物２それぞれに、第１のマークと第２のマークがマーキングされる。
【００４５】
また、図２の区分けファイルに基づけば、第１のマークのマーキングフラグのみが付加されたレコードは、通数番号が「６」および「１３」のレコードになるため、「６」および「１３」の通数番号が印字された郵便物２それぞれに、第１のマークのみがマーキングされる。
【００４６】
次に、マーキング装置１の制御部１０が実行するマーキング対象変更処理（Ｓ２０）について説明する。図１に図示したように、マーキング装置１のリーダ部１１の直後にリジェクト機構３ｂが設けられるため、マーキング対象になっている郵便物２が不良品と判定されると、該郵便物２がセキュリティボックス３ｃに排出され、該郵便物２にマーキングする予定だった所定のマークをマーキングできないことになってしまう。
【００４７】
そこで、本実施形態にかかるマーキング装置１の制御部１０は、通数連番を読み取った郵便物２を不良品と判定すると、区分けファイルを参照し、通数連番を読み取った郵便物２がマーキング対象に設定されている場合、通数連番を読み取った郵便物２と区分番号が同一で、次に良品となる郵便物２にマーキング対象を変更するマーキング対象変更処理（Ｓ２０）を実行する。
【００４８】
本実施形態では、第１のマークのみのマーキング対象となっている郵便物２を不良品として判定したときに実行する第１のマーキング対象変更ルールと、第１のマークと第２のマークのマーキング対象となっている郵便物２を不良品として判定したときに実行する第２のマーキング対象変更ルールがマーキング装置１の制御部１０に設定され、それぞれ以下の内容である。
【００４９】
（１）第１のマーキング対象変更ルール
（１−１）第１のマークのみのマーキング対象となる郵便物２を不良品と判定した場合、同一の区分番号で次に良品と判定した郵便物２に第１のマークをマーキングする。
（１−２）第１のマークのマーキング対象となる郵便物２を不良品と判定し、かつ、不良品と判定した郵便物２の区分番号において、それ以降の郵便物２を全て不良品と判定した場合は第１のマークをマーキングしない。
【００５０】
（２）第２のマーキング対象変更ルール
（２−１）第１のマークおよび第２のマークのマーキング対象となる郵便物２を不良品と判定した場合、同一の区分番号で次に良品と判定した郵便物２に第１のマークおよび第２のマークをマーキングする。
（２−２）第１のマークおよび第２のマークのマーキング対象となる郵便物２を不良品と判定し、（２−１）に従い、第１のマークおよび第２のマークのマーキング対象を変更したときに、第１のマークのみのマーキング対象とバッティングした場合、第１のマークおよび第２のマークのマーキング対象を優先する。
（２−３）同一の区分番号において、すべての郵便物２を不良品と判定した場合、この区分番号では第１のマークおよび第２のマークをマーキングせず、かつ、次の区分番号で最初に搬送される郵便物２に第２のマークのみをマーキングする。
【００５１】
上述した（１−１）、（２−１）および（２−２）は、マーキング対象となっている郵便物２がセキュリティボックス３ｃに排出された場合、郵便物２にマーキングされるべきであったマークを区分番号が同一の他の郵便物２にマーキングするために設けたルールである。
【００５２】
更に、上述した（１−２）は、第１のマークのマーキング対象となっている郵便物２がセキュリティボックス３ｃに排出され、かつ、マーキング対象となっている郵便物２が区分番号で最後に搬送される郵便物２の場合、郵便物２にマーキングされるべきであった第１のマークが区分番号の異なる郵便物２にマーキングされることを防止するために設けたルールである。
【００５３】
更に、上述した（２−２）は、第１のマークおよび第２のマークのマーキング対象となっている郵便物２がセキュリティボックス３ｃに排出され、かつ、マーキング対象となっている郵便物２が区分番号で最後に搬送される郵便物２の場合、郵便物２にマーキングされるべきであった第１のマークおよび第２マークが区分番号の異なる郵便物２にマーキングされることを防止するために設けたルールである。また、次の区分番号で最初に搬送される郵便物２に第２のマークのみをマーキングするのは、前の区分番号にかかる郵便物２が全て不良品として判定され、前の区分番号にかかる郵便物２が排出されなかったことを作業者に提示できるようにするためである。
【００５４】
図５は、本実施形態にかかるマーキング対象変更処理（Ｓ２０）を説明する図である。マーキング装置１の制御部１０は、上述したルールを満たすために、図５で図示した手順を実行する。
【００５５】
マーキング装置１の制御部１０は、対象レコードに対応する郵便物２を不良品と判定すると、まず、対象レコードの判定結果に、不良品を示す不良品フラグを書き込む（Ｓ２１）。
【００５６】
次に、マーキング装置１の制御部１０は、対象レコードに付加されているマーキングフラグを確認することで、通数連番を読み取った郵便物２がマーキング対象となっているか確認する（Ｓ２２）。
【００５７】
対象レコードに第１のマークのマーキングフラグと第２のマークのマーキングフラグのいずれもが付加されていない場合、マーキング装置１の制御部１０は、通数連番を読み取った郵便物２がマーキング対象となっていないと判定し、この手順を終了する。
【００５８】
また、対象レコードに第１のマークのマーキングフラグのみが付加されている場合、マーキング装置１の制御部１０は、通数連番を読み取った郵便物２は第１のマークのみのマーキング対象になっていると判定し、上述の第１のマーキング対象変更ルールを実行するために、以下の手順を実行する。
【００５９】
この手順において、マーキング装置１の制御部１０は、対象レコードが同一の区分番号において最後のレコードであるか確認する（Ｓ２３）。
【００６０】
対象レコードが同一の区分番号の最後のレコードでなければ、対象レコードに付加されている第１のマークのマーキングフラグを、次のレコードに移動させることで（Ｓ２４）、次の郵便物２が第１のマークのマーキング対象となるようにして、この手順を終了する。また、対象レコードが同一の区分番号の最後のレコードであれば、対象レコードに付加されている第１のマークのマーキングフラグを解除して（Ｓ２５）、この手順を終了する。
【００６１】
また、Ｓ２２において、対象レコードに第１のマークのマーキングフラグと第２のマークのマーキングフラグが付加されている場合、マーキング装置１の制御部１０は、通数連番を読み取った郵便物２は第１のマークと第２のマークのマーキング対象になっていると判定し、上述の第２のマーキング対象変更ルールを実行するために、以下の手順を実行する。
【００６２】
この手順において、マーキング装置１の制御部１０は、対象レコードが同一の区分番号において最後のレコードであるか確認する（Ｓ２６）。
【００６３】
対象レコードが同一の区分番号の最後のレコードでなければ、対象レコードに付加されている第１のマークのマーキングフラグと第２のマークのマーキングフラグを、次のレコードに移動させることで（Ｓ２７）、次の郵便物２が第１のマークと第２のマークのマーキング対象となるようにして、この手順を終了する。
【００６４】
また、対象レコードが同一の区分番号の最後のレコードであれば、対象レコードに付加されている第１のマークのマーキングフラグと第２のマークのマーキングフラグを解除した後（Ｓ２８）、次の区分番号の最初のレコードに付加されている第１のマークのマーキングフラグを解除して（Ｓ２９）、この手順は終了する。
【００６５】
ここから、本実施形態にかかるマーキング装置１の制御部１０が実行するマーキング対象変更処理の具体例について説明する。図７は、マーキング対象変更処理の具体例を説明する第１図、図８は、マーキング対象変更処理の具体例を説明する第２図である。
【００６６】
図７を参照しながら説明する。図７（ａ）は良品判定結果の一例で、図７（ａ）では、通数連番が「６」および「１３」の郵便物２が不良品と判定されている。
【００６７】
図７（ｂ）は、通数連番が「６」の郵便物２を不良品と判定したときに実行される処理を説明する図である。通数連番が「６」の郵便物２を不良品と判定したとき、対象レコードは通数連番が「６」のレコードになる。図２で図示した区分けファイルに基づけば、通数連番が「６」のレコードには第１のマークのマーキングフラグのみが付加され、かつ、通数連番が「６」のレコードは、区分番号１の最後のレコードでないため、マーキング装置１の制御部１０は、通数連番が「７」のレコードに第１のマークのマーキングフラグを移動させ、通数連番が「７」である郵便物２が第１のマークのマーキング対象となるようにする。図７（ａ）では、通数連番が「７」である郵便物２は良品と判定されており、通数連番が「７」である郵便物２に第１のマークがマーキングされる。
【００６８】
図７（ｃ）は、通数連番が「１３」の郵便物２を不良品と判定したときに実行される処理を説明する図である。通数連番が「１３」の郵便物２を不良品と判定したとき、対象レコードは通数連番が「１３」のレコードになる。図２で図示した区分けファイルに基づけば、通数連番が「１３」のレコードには第１のマークのマーキングフラグのみが付加され、かつ、通数連番が「１３」のレコードは、区分番号２の最後のレコードであるため、マーキング装置１の制御部１０は、通数連番が「１３」のレコードに付加されている第１のマークのマーキングフラグを解除する。
【００６９】
図８を参照しながら説明する。図８（ａ）は良品判定結果の一例で、図８（ａ）では、区分番号１で通数連番が「１」の郵便物２、区分番号２で通数連番が「８」から「１２」の郵便物２、区分番号３のすべての郵便物２（通数連番が「１４」から「１８」の郵便物２）が不良品と判定されている。
【００７０】
図８（ｂ）は、区分番号１の郵便物２を不良品と判定したときに実行される処理を説明する図である。通数連番が「１」の郵便物２を不良品と判定したとき、対象レコードは通数連番が「１」のレコードになる。図２で図示した区分けファイルに基づけば、通数連番が「１」のレコードには第１のマークのマーキングフラグと第２のマークのマーキングフラグが付加され、かつ、通数連番が「１」のレコードは、区分番号１の最後のレコードでないため、マーキング装置１の制御部１０は、通数連番が「２」のレコードに第１のマークのマーキングフラグと第２のマークのマーキングフラグを移動させ、通数連番が「２」である郵便物２が第１のマークと第２のマークのマーキング対象となるようにする。図８（ａ）では、通数連番が「２」である郵便物２は良品と判定されており、通数連番が「２」である郵便物２に第１のマークと第２のマークがマーキングされる。
【００７１】
図８（ｃ）は、区分番号２の郵便物２を不良品と判定したときに実行される処理を説明する図である。区分番号２で最初に搬送される通数連番が「８」の郵便物２を不良品と判定したとき、対象レコードは通数連番が「８」のレコードになる。通数連番が「８」のレコードに付加されていた第１のマークのマーキングフラグおよび第２のマークのマーキングフラグは通数連番が「９」のレコードに移動し、これが繰り返されることで、通数連番が「８」のレコードに付加されていた第１のマークのマーキングフラグおよび第２のマークのマーキングフラグは、通数連番が「１３」のレコードに移動する。図８（ａ）では、通数連番が「１３」である郵便物２は良品と判定されており、通数連番が「１３」である郵便物２に第１のマークと第２のマークがマーキングされる。
【００７２】
図８（ｄ）は、区分番号３の郵便物２を不良品と判定したときに実行される処理を説明する図である。区分番号３で最初に搬送される通数連番が「１４」の郵便物２を不良品と判定したとき、対象レコードは通数連番が「１４」のレコードになる。通数連番が「１４」のレコードに付加されていた第１のマークのマーキングフラグおよび第２のマークのマーキングフラグは通数連番が「１５」のレコードに移動し、これが繰り返されることで、通数連番が「１４」のレコードに付加されていた第１のマークのマーキングフラグおよび第２のマークのマーキングフラグは、通数連番が「１８」のレコードに移動する。
【００７３】
図８（ａ）では、通数連番が「１８」である郵便物２は不良品と判定されており、通数連番が「１８」のレコードは区分番号３の最後のレコードになるため、通数連番が「１８」のレコードに付加されている第１のマークのマーキングフラグおよび第２のマークのマーキングフラグは解除され、更に、区分番号３の次の区分番号である区分番号４で最初に搬送される通数番号が「１９」のレコードの第１のマークのマーキングフラグが解除される。図８（ａ）では、通数連番が「１９」である郵便物２は良品と判定されており、通数連番が「１９」である郵便物２に第２のマークのみがマーキングされる。
【符号の説明】
【００７４】
１    マーキング装置
１０  制御部
１１  リーダ部
１２  第１のマーカ部
１３  第２のマーカ部
２    郵便物
【図１】
2014097462.tif 000003
【図２】
2014097462.tif 000004
【図３】
2014097462.tif 000005
【図４】
2014097462.tif 000006
【図５】
2014097462.tif 000007
【図６】
2014097462.tif 000008
【図７】
2014097462.tif 000009
【図８】
2014097462.tif 000010